【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
冷媒が流通する熱交換器であって、
所定の積層方向（Ｄｓ）に積層されると共に互いに接合され放熱流路（２０１ｃ）が内部に形成された複数の放熱構成部（２０１）を有し、前記放熱流路に流れる前記冷媒と空気とを熱交換させることにより該冷媒から放熱させる放熱部（２０）と、
前記積層方向に積層されると共に互いに接合され蒸発流路（２２１ｃ）が内部に形成された複数の蒸発構成部（２２１）を有し、前記蒸発流路に流れる前記冷媒と空気とを熱交換させることにより該冷媒に吸熱させ該冷媒を蒸発させる蒸発部（２２）とを備え、
前記複数の放熱構成部はそれぞれ板状の一対の放熱板部（２０１ｄ、２０１ｈ）を有し、該一対の放熱板部が前記積層方向に積層されると共に前記放熱流路を前記一対の放熱板部の相互間に形成するように互いに接合されることによって構成され、
前記複数の蒸発構成部はそれぞれ板状の一対の蒸発板部（２２１ｄ、２２１ｈ）を有し、該一対の蒸発板部が前記積層方向に積層されると共に前記蒸発流路を前記一対の蒸発板部の相互間に形成するように互いに接合されることによって構成され、
前記一対の放熱板部のうちの一方と前記一対の蒸発板部のうちの一方は１枚の板部材（３８１、３８２）を構成しており、
前記板部材は、該板部材により形成された前記放熱流路と前記蒸発流路とを互いに隔てるように形成されており、
前記積層方向は鉛直方向（Ｄｇ）に交差する方向とされ、
前記放熱部は、前記蒸発部に対し下側に重なるように配置される、熱交換器。
【請求項２】
前記放熱部から流出した前記冷媒を減圧してから前記蒸発部へ流す減圧部（３２１ｅ）を備え、
前記複数の放熱構成部の端部にある出口位置放熱構成部（２０２）には放熱部出口（２０２ａ）が設けられ、
前記複数の蒸発構成部の端部にある入口位置蒸発構成部（２２２）には蒸発部入口（２２２ａ）が設けられ、
前記複数の放熱構成部に形成された前記放熱流路は全て、前記放熱部出口と前記減圧部と前記蒸発部入口とを、前記放熱部出口、前記減圧部、前記蒸発部入口の順に介して前記蒸発流路に接続される、請求項１に記載の熱交換器。
【請求項３】
前記出口位置放熱構成部は、前記複数の放熱構成部のうち前記積層方向の一方側の端または他方側の端に位置する放熱構成部であり、
前記入口位置蒸発構成部は、前記複数の蒸発構成部のうち前記積層方向の前記一方側の端または前記他方側の端に位置する蒸発構成部である、請求項２に記載の熱交換器。
【請求項４】
前記放熱部から流出した前記冷媒と前記蒸発部から流出した前記冷媒とを熱交換させる内部熱交換部（２８）を備え、
前記板部材は前記内部熱交換部の一部を構成している、請求項１ないし３のいずれか１つに記載の熱交換器。
【請求項５】
前記放熱部から流出した前記冷媒と前記蒸発部から流出した前記冷媒とを熱交換させる内部熱交換部（２８）を備え、
前記蒸発部と前記内部熱交換部と前記放熱部は、前記積層方向に直交する方向（Ｄｇ）において、前記蒸発部、前記内部熱交換部、前記放熱部の順に並んで配置され、
前記板部材は、前記内部熱交換部の一部を構成する部分（２８１ａ、２８１ｂ）を、前記蒸発板部と前記放熱板部との間に有している、請求項１ないし３のいずれか１つに記載の熱交換器。
【請求項６】
前記板部材は第１板部材（３８１）であり、
前記一対の放熱板部のうちの他方（２０１ｈ）と前記一対の蒸発板部のうちの他方（２２１ｈ）は１枚の第２板部材（３８２）を構成しており、
前記第１板部材と前記第２板部材は、互いに接合されることで、前記複数の放熱構成部の１つと前記複数の蒸発構成部の１つとを含む板部材接合体（３９）を構成し、
前記板部材接合体には、該板部材接合体に含まれる前記放熱構成部と前記蒸発構成部との間に配置され前記板部材接合体を貫通する第１中間貫通孔（３９ａ）および第２中間貫通孔（３９ｂ）が形成され、
前記第１中間貫通孔および前記第２中間貫通孔はそれぞれ、前記放熱構成部と前記蒸発構成部との並び方向（Ｄｈ）に交差する接合体幅方向（Ｄｗ）に延びており、
前記第１中間貫通孔は、前記第２中間貫通孔に対し前記並び方向の一方側に部分的に重複するように配置されている、請求項１ないし５のいずれか１つに記載の熱交換器。
【請求項７】
前記板部材は第１板部材（３８１）であり、
前記一対の放熱板部のうちの他方（２０１ｈ）と前記一対の蒸発板部のうちの他方（２２１ｈ）は１枚の第２板部材（３８２）を構成しており、
前記第１板部材と前記第２板部材は、互いに接合されることで、前記複数の放熱構成部の１つと前記複数の蒸発構成部の１つとを含む板部材接合体（３９）を構成し、
前記板部材接合体には、該板部材接合体に含まれる前記放熱構成部と前記蒸発構成部との間に配置され前記板部材接合体を貫通する中間貫通孔（３９ａ、３９ｂ）が形成され、
前記第１板部材には、前記中間貫通孔のうち前記第１板部材に属する部分である第１板部材中間孔（３８１ｄ、３８１ｅ）が形成され、
前記第１板部材は、前記第１板部材中間孔の周縁部分（３８１ｊ、３８１ｋ）から前記積層方向へ曲げ起こされた形状を成す孔周縁板部（３８１ｈ、３８１ｉ）を有し、
該孔周縁板部は、前記放熱構成部と前記蒸発構成部との並び方向（Ｄｈ）に交差する接合体幅方向（Ｄｗ）に延びている、請求項１ないし５のいずれか１つに記載の熱交換器。
【請求項８】
前記第１板部材は、互いに異なる箇所に設けられた第１孔周縁板部（３８１ｈ）と第２孔周縁板部（３８１ｉ）とを、前記孔周縁板部として有し、
前記第１孔周縁板部は、前記第２孔周縁板部に対し前記並び方向の一方側に部分的に重複するように配置されている、請求項７に記載の熱交換器。
【請求項９】
前記板部材は第１板部材（３８１）であり、
前記一対の放熱板部のうちの他方（２０１ｈ）と前記一対の蒸発板部のうちの他方（２２１ｈ）は１枚の第２板部材（３８２）を構成しており、
前記第１板部材と前記第２板部材は、互いに接合されることで、前記複数の放熱構成部の１つと前記複数の蒸発構成部の１つとを含む板部材接合体（３９）を構成し、
前記板部材接合体には、該板部材接合体に含まれる前記放熱構成部と前記蒸発構成部との間に配置され前記板部材接合体を貫通する中間貫通孔（３９ａ）が形成され、
前記第１板部材は、該第１板部材を構成する前記放熱板部と前記蒸発板部とを含む第１板部材本体（３８３）と、該第１板部材本体の外縁部分（３８３ａ）から立ち上がった形状を成す第１外縁板部（３８１ｍ、３８１ｎ）とを有し、
前記第２板部材は、該第２板部材を構成する前記放熱板部と前記蒸発板部とを含む第２板部材本体（３８４）と、該第２板部材本体の外縁部分（３８４ａ）から立ち上がった形状を成す第２外縁板部（３８２ｍ、３８２ｎ）とを有し、
前記中間貫通孔は、前記第１板部材では前記第１板部材本体から前記第１外縁板部へ及ぶと共に前記第２板部材では前記第２板部材本体から前記第２外縁板部へ及ぶように延びている、請求項１ないし５のいずれか１つに記載の熱交換器。
【請求項１０】
前記第１外縁板部は、前記第１板部材本体の前記外縁部分から曲げ起こされた構成となっている、請求項９に記載の熱交換器。
【請求項１１】
前記第１板部材は、前記放熱構成部と前記蒸発構成部との並び方向（Ｄｈ）に交差する接合体幅方向（Ｄｗ）において前記第１板部材本体の一方側に設けられた一方側第１外縁板部（３８１ｍ）と、前記接合体幅方向において前記第１板部材本体の他方側に設けられた他方側第１外縁板部（３８１ｎ）とを、前記第１外縁板部として有し、
前記第２板部材は、前記接合体幅方向において前記第２板部材本体の前記一方側に設けられた一方側第２外縁板部（３８２ｍ）と、前記接合体幅方向において前記第２板部材本体の前記他方側に設けられた他方側第２外縁板部（３８２ｎ）とを、前記第２外縁板部として有し、
前記中間貫通孔は、前記第１板部材では前記第１板部材本体から前記一方側第１外縁板部と前記他方側第１外縁板部とのそれぞれへ及ぶと共に前記第２板部材では前記第２板部材本体から前記一方側第２外縁板部と前記他方側第２外縁板部とのそれぞれへ及ぶように延びており、
更に、前記中間貫通孔は、前記第１板部材本体内および前記第２板部材本体内では前記放熱構成部を前記蒸発構成部から離隔し、
前記板部材接合体において前記放熱構成部と前記蒸発構成部は、前記一方側第１外縁板部と前記他方側第１外縁板部と前記一方側第２外縁板部と前記他方側第２外縁板部とのそれぞれを介して連結している、請求項９または１０に記載の熱交換器。
【手続補正２】
【補正対象書類名】明細書
【補正対象項目名】００１１
【補正方法】変更
【補正の内容】
【００１１】
上記目的を達成するため、請求項１に記載の熱交換器は、
冷媒が流通する熱交換器であって、
所定の積層方向（Ｄｓ）に積層されると共に互いに接合され放熱流路（２０１ｃ）が内部に形成された複数の放熱構成部（２０１）を有し、放熱流路に流れる冷媒と空気とを熱交換させることによりその冷媒から放熱させる放熱部（２０）と、
積層方向に積層されると共に互いに接合され蒸発流路（２２１ｃ）が内部に形成された複数の蒸発構成部（２２１）を有し、蒸発流路に流れる冷媒と空気とを熱交換させることによりその冷媒に吸熱させその冷媒を蒸発させる蒸発部（２２）とを備え、
複数の放熱構成部はそれぞれ板状の一対の放熱板部（２０１ｄ、２０１ｈ）を有し、その一対の放熱板部が積層方向に積層されると共に放熱流路を一対の放熱板部の相互間に形成するように互いに接合されることによって構成され、
複数の蒸発構成部はそれぞれ板状の一対の蒸発板部（２２１ｄ、２２１ｈ）を有し、その一対の蒸発板部が積層方向に積層されると共に蒸発流路を一対の蒸発板部の相互間に形成するように互いに接合されることによって構成され、
一対の放熱板部のうちの一方と一対の蒸発板部のうちの一方は１枚の板部材（３８１、３８２）を構成しており、
板部材は、その板部材により形成された放熱流路と蒸発流路とを互いに隔てるように形成されており、
積層方向は鉛直方向（Ｄｇ）に交差する方向とされ、
放熱部は、蒸発部に対し下側に重なるように配置される。